(57)【要約】【課題】  顧客操作口に実装する１つのシャッタ構造で、機能ユニット出し入れの際の開口部の安全性確保が目的の該安全シャッタと、雨の日の雨水浸入防止が目的の該防雨シャッタの両方の機能を合わせもつシャッタ構造を省スペースかつ安価な方法で提供する。【解決手段】  自動取引装置の顧客操作口に取り付けられ、それぞれ別々の機能を有する安全シャッタと防雨シャッタにおいて、防雨シャッタは安全シャッタを覆うものであり、機能ユニット出し入れ時に、防雨シャッタの開閉を規制する。【選択図】  図１
2006195601.tif 000002
【特許請求の範囲】
【請求項１】
各種の機能を行う機能ユニットと、前記機能ユニットに設けられ媒体の入出に応じて開閉する第２シャッタと、前記機能ユニットを制御する制御部とを有する自動機において、
前記自動機の操作口に設けられ前記第２シャッタを覆う第１シャッタと、前記機能ユニットの出し入れによって前記第１シャッタの開閉のロック又は解除するロック機構部とを有することを特徴とする自動機。
【請求項２】
請求項１記載の自動機において、
前記第１シャッタは透明部材で構成したことを特徴とする自動機。
【請求項３】
請求項１記載の自動機において、
前記第１シャッタは前記操作口に設けられた回転軸を支点として前後方向に開閉することを特徴とする自動機。
【請求項４】
請求項１記載の自動機において、
前記第１シャッタを閉じ状態に付勢するスプリングヒンジを有することを特徴とする自動機。
【請求項５】
請求項１記載の自動機において、
前記ロック機構部は、前記機能ユニットと当接するアームと、前記アームと当接するロックブラケットとを有することを特徴とする自動機。
【請求項６】
請求項５記載の自動機において、
前記機能ユニットの引き出し時、前記アームに設けられた回転支点で回転することにより前記ロックブラケットは前記第１シャッタ方向に突出し、前記第１シャッタを閉状態に保持することを特徴とする自動機。
【請求項７】
請求項５記載の自動機において、
前記機能ユニットの定位置セット時、前記アームは前記機能ユニットに当接することによって前記ロックブラケットは前記第１シャッタ方向から引き出され、前記第１シャッタの開閉のロックを解除することを特徴とする自動機。
【請求項８】
請求項１記載の自動機において、
前記ロック機構部は、前記第１シャッタの両サイドに設けられることを特徴とする自動機。
【発明の詳細な説明】
【技術分野】
【０００１】
本発明は自動機に関するもので、特に、現金取引等を行う自動取引装置、操作面に設けられた顧客操作口のシャッタ構造に関する。
【背景技術】
【０００２】
従来の現金取引等を行う自動取引装置のシャッタ構造は、紙幣の出し入れを行う紙幣入出金ユニット等の機能ユニットを自動取引装置本体から引き出した際に、顧客操作面において前記機能ユニットに対応する箇所に開口部が生じてしまうため、該開口部を塞ぐように蓋をして、外部からの異物等の浸入を防ぎ安全性確保するような構造であった。関連する背景技術として特許文献１がある。
【０００３】
【特許文献１】特開平９−１０６４６７号公報
【発明の開示】
【発明が解決しようとする課題】
【０００４】
中国等の海外では自動取引装置を屋内に設置するだけでなく、該自動取引装置を外壁に埋め込み、顧客操作面のみを屋外に露出し、紙幣の補充作業等で保守の必要な装置後面側を屋内に入れた状態で設置する、すなわち外壁設置することがある。このような外壁設置の自動取引装置において、雨が降った際には、屋外に露出した顧客操作面に雨がかかり、顧客操作口から自動取引装置内に雨水が入ってしまう可能性がある。そこでこの雨水の浸入を防ぐために、顧客操作口に防雨シャッタを実装する必要がある。該防雨シャッタの開閉動作として、雨水の浸入を最小限に留めるためには紙幣や硬貨の出し入れ操作時以外、常に閉じた状態でなければならない。しかも、該防雨シャッタが閉じた状態でも顧客操作口に紙幣や貨幣の有無が確認できるようなしくみが必要である。
【０００５】
またこのような該防雨シャッタとは別に、前記の従来技術で述べた機能ユニットの出し入れ時の安全性確保のために、顧客操作口には上記従来技術のような安全シャッタも必要である。しかしながら前述のような、機能ユニットの出し入れの際の開口部の安全性確保が目的の該安全シャッタと、雨の日の雨水浸入防止が目的の該防雨シャッタをそれぞれ別々に実装するには広いスペースが必要となってしまう。また、これとは別に該安全シャッタ、該防雨シャッタの２つのシャッタを実装する為、高コストとなってしまうという問題もあった。
【０００６】
本発明は、この様な問題点に鑑みてなされたもので、顧客操作口に実装する１つのシャッタ構造で、機能ユニット出し入れの際の開口部の安全性確保が目的の該安全シャッタと、雨の日の雨水浸入防止が目的の該防雨シャッタの両方の機能を合わせもつシャッタ構造を省スペースかつ安価な方法で提供する。
【課題を解決するための手段】
【０００７】
本発明は、上記の課題を解決するために次のような手段を採用した。顧客操作面の顧客操作口を塞ぐように自動取引装置に取り付けられる機能ユニットと、前記顧客操作口に取り付けられるシャッタと、前記機能ユニットを前記自動取引装置から取り外した時に、前記シャッタを閉じた状態でロックするロック機構とを有するシャッタ構造を自動取引装置に実装することにより、機能ユニット出し入れの際の前記顧客操作口（開口部）の安全性を確保すると共に、雨の日に前記顧客操作口への雨水の浸入を防ぐ。すなわち前述の安全シャッタと防雨シャッタの両方の機能を合わせもつシャッタ構造が１つのシャッタで実現できる。
【発明の効果】
【０００８】
本発明は、顧客操作口に実装する１つのシャッタ構造で、機能ユニット出し入れの際の開口部の安全性確保が目的の該安全シャッタと、雨の日の雨水浸入防止が目的の該防雨シャッタの両方の機能を合わせもつシャッタ構造を省スペースかつ安価な方法で提供することができる。
【発明を実施するための最良の形態】
【０００９】
以下、本発明の実施形態について添付図面を参照しながら説明する。
【実施例１】
【００１０】
図１は本発明の実施形態にかかる自動機の全体外観図と顧客操作口の部分詳細図である。自動機は、例えば、銀行、郵便局、消費者金融会社等の金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）、両替機等の自動取引装置に用いられる。更に、鉄道の駅、道の駅、バスの停留所、高速道路のサービスエリアやパーキングエリア、遊技場、劇場、博物館、駐車場、食堂、スポーツ施設等に配設された自動券売機であってもよい。その他のいかなる種類の自動機であってもよいが、本発明の実施形態においては、説明の都合上、金融取引を行う自動取引装置である場合について説明する。
一般的に銀行、郵便局、消費者金融等の金融機関では、窓口における省力化と時間外や窓口以外でも利用者に対するサービスの向上を目指して、ＡＴＭやＣＤ等の自動取引装置が多く設置され、利用されている。金融機関の顧客は自動取引装置を自分で操作して入金、出金、通帳記帳、残高照会、振込、振替等の金融取引を行う。このような自動取引装置は、利用客にとって使い勝手の良さだけでなく、誤操作等に対して安全性の確保も必要である。ところで、この種の自動取引装置は、カードの読み取りを行うカード取扱ユニットや、通帳類の印字、再発行を行う通帳取扱ユニット、また硬貨や紙幣の出し入れを行う硬貨入出金ユニット、紙幣入出金ユニット等の各種の機能を自動的に行う機能ユニットを備えている。またこの機能ユニットは各種媒体の挿入又は排出、入金又は出金等を行う。
図１に示すようにこれら機能ユニット３はスライドレール２などによって、自動取引装置本体１に対してそれぞれ取り外し可能に実装されている。そして機能ユニット３の保守、点検等の場合には、該当する機能ユニット３を自動取引装置本体１から取り外す構造となっている。図示では自動取引装置１の後扉を開いてユニット３を引き出す例を示している。
【００１１】
例えば、機能ユニット３の一つである紙幣入出金ユニットに紙幣を補充する必要がある場合、オペレータは該紙幣入出金ユニットを自動取引装置本体１から取り外し、紙幣を補充した後、紙幣入出金ユニットを再び自動取引装置本体１に取り付けるという一連の動作を行う。ところがこの一連の動作において、紙幣入出金ユニットを自動取引装置本体１から取り外した際に、自動取引装置本体１の顧客操作面４において紙幣入出金ユニットの顧客操作口５に対応する箇所に開口部が生じてしまう。そこで、特に、係員による保守時等は開口部に装置前側で操作する利用者の手や異物が入らないように、安全シャッタで開口部を塞ぐ必要がある。
【００１２】
また中国等の海外では自動取引装置を屋内に設置するだけでなく、図２に示すように自動取引装置を外壁６に埋め込み、顧客操作面４のみを屋外に露出し、紙幣の補充作業等で保守の必要な装置後面側を屋内に入れた状態で設置する、すなわち外壁設置することがある。このような外壁設置の自動取引装置において、雨が降った時には、屋外に露出した顧客操作面４に雨がかかり、顧客操作口５から自動取引装置内に雨水が入ってしまう可能性がある。そこでこの雨水の浸入を防ぐために、顧客操作口５に防雨シャッタを実装する必要がある。防雨シャッタの開閉動作として、雨水の浸入を最小限に留めるためには紙幣や硬貨の出し入れ操作時以外、常に閉じた状態が望ましい。しかも、防雨シャッタが閉じた状態でも顧客操作口５に紙幣や貨幣の有無が確認できるような仕組みが必要である。例えば、防雨シャッタの材質を透明なアクリル製等にすれば顧客操作口５の内部が透けて見え、ユニット３に取り付けられたシャッタの開閉動作を確認でき、よって紙幣や硬貨の有無の確認ができる。
【００１３】
以上より特に海外における自動取引装置の顧客操作口５には、機能ユニット３を出し入れする際の顧客操作口５（開口部）の安全性を確保する安全シャッタと、雨の日に前記顧客操作口５への雨水の浸入を防ぐ防雨シャッタの両方が必要となる。そこで本実施の形態においては、図１に示すように自動取引装置の顧客操作面４上の顧客操作口５に、この顧客操作口５の中が見えるよう透明で、且つ手で押せば開くようなシャッタ７（第１シャッタ）を実装し、自動取引装置本体１から機能ユニット３を取り外した時には、顧客操作面４上の顧客操作口５に手や異物が入らないように、シャッタ７を閉じた状態でロックするロック機構部８を実装する。
【００１４】
図３は顧客操作口シャッタ構造を説明する斜視図でありシャッタロックが解除されシャッタが閉じている状態を示す図、図４は顧客操作口シャッタ構造を説明する斜視図でありシャッタロックが解除されシャッタが開いている状態を示す図である。図３において機能ユニット３は自動取引装置本体１に取り付けられて収納された位置にあるため、シャッタ構造８の一部品であるアーム１３の下端が機能ユニット３によって押し付けられた状態となっている。この場合、シャッタロックは解除された状態であり、顧客操作口５内部は機能ユニット３によって塞がれている。なお、該機能ユニット３は自動取引装置本体１に対して取り外し可能に取り付けられ、図１に示すように自動取引装置の後方（図３における右方）に引き出すことができる。また、図３においてシャッタ７は顧客操作口５の内部が見えるように透明なアクリルプレートでできており、顧客操作口５を覆うような形状であるため、紙幣や貨幣の有無が確認できると共に、顧客操作口５への雨水の浸入も防ぐことが可能である。シャッタ７の固定方法として、人が手で押せば開くようにスプリングヒンジ９により回転可能且つ常に閉じた状態となるよう支持されており、スプリングヒンジ９の付勢力によりストッパプレート１０に常に押さえつけられている。自動取引装置を利用して例えば紙幣を出金する場合には、図４に示すようにスプリングヒンジ９の付勢力に抗してシャッタ７を手で押して開け、機能ユニット３から出金された顧客操作口５内の紙幣を取り出す。そして、紙幣を取り出すと同時に顧客操作口５内から手を出すため、シャッタ７はスプリングヒンジ９の付勢力によりまたストッパプレート１０に常に押さえつけられた状態、すなわち図３に示すような閉じた状態となる。このように、シャッタ７はヒンジ９近傍の回転支点を中心に装置手前又は奥方向（前後）で回転するもので、後述のシャッタ２２（第２シャッタ）を覆うシャッタとも言える。
【００１５】
次に顧客操作口シャッタのロック機構部について説明する。図５は顧客操作口シャッタ構造を説明するロック機構部の分解斜視図である。上記で述べたシャッタ７、スプリングヒンジ９、ストッパプレート１０は自動取引装置外面から見える部分であるが、該自動取引装置外面から見えない部分であるロック機構部として、顧客操作口５にアームロックベース１１が取り付けられ、該アームロックベース１１にロックブラケット１２とアーム１３がそれぞれロックブラケット回転軸１４、アーム回転軸１５を中心に回転可能に取り付けられている。また該ロックブラケット１２、アーム１３にはそれぞれロックスプリング１６、アームスプリング１７の一端が取り付けられている。そして該ロックスプリング１６、アームスプリング１７のもう一端は共に前記アームロックベース１１に取り付けられている。このロックスプリング１６とアームスプリング１７の付勢力によりロックブラケット１２はロックブラケット回転矢印１８方向に、アーム１３はアーム回転矢印１９方向にそれぞれ引っ張られた状態で取り付けられている。ここでアームロックベース１１、ロックブラケット１２、アーム１３、ロックスプリング１６、アームスプリング１７は、図６に示すように顧客操作口５の片側だけでなく反対側にも同じ構造で取り付けられており、顧客操作口５の両端よりロックブラケット１２の一部が出っ張り、シャッタ７を閉じた状態にロックする。ただし図３に示されるように、機能ユニット３が自動取引装置本体内に収納された状態においては、ロックブラケット１２は引っ込んだ状態となり、シャッタ７のロックは解除されたままである。
【００１６】
次に、前記構成の顧客操作口シャッタ構造の動作について説明する。図７は顧客操作口シャッタ構造を説明する斜視図でありシャッタがロックされている状態を示す図である。まず、図３に示すような自動取引装置が取引可能に通常動作している場合、すなわち機能ユニット３が装置に取り付け収納されシャッタ７がロック解除されている状態では、アーム１３は下端を機能ユニット３に押されているため、図５のアーム回転軸１５を中心にアーム回転矢印１９の反対方向に回転した状態となる。この場合アーム１３の上端でロックブラケット１２を押しているため、ロックブラケット１２はロックブラケット回転軸１４を中心に図５のロックブラケット回転矢印１８の反対方向に回転した状態となる。つまりロックブラケット１２はロックブラケット出入り口２１より顧客操作口５内へ出っ張った状態ではなく、引っ込んだ状態となる。
【００１７】
この状態から図７に示すように保守、点検等のために機能ユニット３を機能ユニット移動矢印２０で示される方向、すなわち自動取引装置の後方に引き出すと、アーム１３はアームスプリング１７の付勢力により引っ張られ、アーム回転軸１５を中心としてアーム回転矢印１９方向に回転する。これにより、アーム１３上端で押されていたロックブラケット１２はロックスプリング１６の付勢力により引っ張られ、ロックブラケット回転軸１４を中心としてロックブラケット回転矢印１８方向に回転し、ロックブラケット出入り口２１よりロックブラケット１２の一部が顧客操作口５内に出っ張った状態となる。そして、このロックブラケット１２の顧客操作口５内への出っ張りがシャッタ７を閉状態で押さえつけ、シャッタロック機構としての役割を果たす。以上より、顧客操作面４上の顧客操作口５の開口部を閉じているシャッタ７を手で押しても、前記シャッタ７はロックされているので、開くことがない。そのため、顧客操作口５に開口部が生じないので、自動取引装置内に異物が投入されることもない。なお、図７には操作口５の内部、即ち、ユニット３の入出金口のシャッタ２２（第２シャッタ）も図示した。シャッタ２２はユニット３の処理、具体的には入金、出金取引に応じて図示しない制御部に自動的に開閉制御される。
【００１８】
続いて、保守、点検等の作業が終了して、機能ユニット３が自動取引装置の後方から挿入されて該自動取引装置内に収納されると、図７において機能ユニット３が機能ユニット移動矢印２０で示される方向と反対方向に移動することによって、アーム１３下端が機能ユニット３によって押し付けられる。そのため、アーム１３がアームスプリング１７の付勢力に抗して、アーム回転矢印１９で示される方向と反対方向に回転し、アーム１３上端でロックブラケット１２を押し付ける。これによりロックブラケット１２はロックスプリング１６の付勢力に抗して、ロックブラケット回転矢印１８で示される方向と反対方向に回転し、ロックブラケット出入り口２１より顧客操作口５内への出っ張り部分を引っ込ませた状態となる。この場合、シャッタ７は回動可能となり、ロックが解除された状態となる。
【００１９】
ところで、上述ではシャッタ７が閉状態のときに機能ユニット３を機能ユニット移動矢印２０で示される方向、すなわち自動取引装置の後方に引き出すと、アーム１３とロックブラケット１２がそれぞれアームスプリング１７、ロックスプリング１６により連動し、ロックブラケット１２の一部がロックブラケット出入り口２１より顧客操作口５内へ出っ張り、シャッタ７をロックする動作について述べた。しかし、顧客操作口５に顧客が手を入れる等、何らかの要因によりシャッタ７が開状態のときに、機能ユニット３を機能ユニット移動矢印２０で示される方向、すなわち自動取引装置の後方に引き出すことも考えられる。その場合、シャッタ７の開状態位置より手前の位置のロックブラケット出入り口２１よりロックブラケット１２の出っ張りが出てしまう。この状態のままではシャッタ７はロックされていない。そこで、このようにシャッタ７が開状態のときに機能ユニット３を機能ユニット移動矢印２０で示される方向、すなわち自動取引装置の後方に引き出した場合にも、シャッタ７を一旦閉状態にするとシャッタ７を再び開状態にすることができないようロックされるように、ロックブラケット１２の一部を顧客操作口５内に出っ張らせるロックスプリング１６の付勢力より、シャッタ７を閉状態に戻すスプリングヒンジ９の付勢力の方を大きくしておく。こうすることにより、シャッタ７より手前の位置にロックブラケット１２の出っ張りが出てしまっても、シャッタ７を閉状態に戻すことでロックブラケット１２の出っ張りを乗り越え、シャッタ７を再び開状態にすることができないようロックブラケット１２でロックする。
【００２０】
このように、本実施の形態においては、自動取引装置の顧客操作面４の顧客操作口５にシャッタ７、スプリングヒンジ９、ストッパプレート１０、アームロックベース１１、ロックブラケット１２、ロックスプリング１６、アーム１３、アームスプリング１７が実装されている。自動取引装置が取引可能に通常動作している場合は、シャッタ７は常に閉状態となっており雨の日の雨水浸入防止の役割を果たす。そして機能ユニット３の自動取引装置内外への出し入れ動作に連動して、ロックブラケット１２、ロックスプリング１６、アーム１３、アームスプリング１７がそれぞれ連動し、シャッタ７を閉状態にロックまたはロック解除することで、顧客操作口５に手や異物が入らないように安全性確保の役割も果たす。
【００２１】
以上のように本実施形態によれば、自動機の顧客操作口に機能ユニット出し入れの際の開口部の安全性確保が目的の該安全シャッタと、雨の日の雨水浸入防止が目的の該防雨シャッタをそれぞれ別々に実装することなく、１つのシャッタ構造で、前記安全シャッタと前記防雨シャッタの両方の機能を合わせもつシャッタ構造を省スペースかつ安価な方法で提供することができる。
【図面の簡単な説明】
【００２２】
【図１】自動機の全体外観図と顧客操作口の部分詳細図である。
【図２】自動機の外壁設置状態を示す全体外観図である。
【図３】顧客操作口シャッタ構造を説明する斜視図でありシャッタロックが解除されシャッタが閉じている状態を示す図である。
【図４】顧客操作口シャッタ構造を説明する斜視図でありシャッタロックが解除されシャッタが開いている状態を示す図である。
【図５】顧客操作口シャッタ構造を説明するロック機構部の分解斜視図である。
【図６】顧客操作口シャッタ構造を説明する正面図である。
【図７】顧客操作口シャッタ構造を説明する斜視図でありシャッタがロックされている状態を示す図である。
【符号の説明】
【００２３】
１…自動取引装置本体、２…スライドレール、３…機能ユニット、４…顧客操作面、５…顧客操作口、６…外壁、７…シャッタ（第１）、８…ロック機構部、９…スプリングヒンジ、１０…ストッパプレート、１１…アームロックベース、１２…ロックブラケット、１３…アーム、１４…ロックブラケット回転軸、１５…アーム回転軸、１６…ロックスプリング、１７…アームスプリング、１８…ロックブラケット回転矢印、１９…アーム回転矢印、２０…機能ユニット移動矢印、２１…ロックブラケット出入り口、２２…シャッタ（第２）
【図１】
2006195601.tif 000003
【図２】
2006195601.tif 000004
【図３】
2006195601.tif 000005
【図４】
2006195601.tif 000006
【図５】
2006195601.tif 000007
【図６】
2006195601.tif 000008
【図７】
2006195601.tif 000009